【手続補正書】
【提出日】平成17年6月8日(2005.6.8)
【手続補正１】
【補正対象書類名】明細書
【補正対象項目名】特許請求の範囲
【補正方法】変更
【補正の内容】
【特許請求の範囲】
【請求項１】
上基板上に設ける第１の電極と、下基板上に設ける第２の電極を有し、前記上基板を観察者側に配置し、上基板と下基板との間に液晶と透明固形物との混合液晶層をシール材により封入する液晶表示パネルにおいて、
前記上基板上には、３８０ナノメートル（ｎｍ）より短波長の光を反射、または吸収する紫外線カット層を有し、前記紫外線カット層は、上基板側より粘着層およびフィルム層からなり、前記フィルム層の外周領域上面には、接着層を介して見切り板を接合してあることを特徴とする液晶表示パネル。
【請求項２】
請求項１に記載の液晶表示パネルにおいて、
前記フィルム層と見切り板の間の接着層にも紫外線を反射、または吸収する紫外線カット材を混入してあることを特徴とする液晶表示パネル。
【請求項３】
請求項１に記載の液晶表示パネルにおいて、
下基板の混合液晶層側の面上に反射板を設け、その上に絶縁膜を介して前記第２の電極を形成してあることを特徴とする液晶表示パネル。
【請求項４】
上基板上に設ける第１の電極と、下基板上に設ける第２の電極を有し、前記上基板を観察者側に配置し、上基板と下基板との間に液晶と透明固形物との混合液晶層をシール材により封入する液晶表示パネルにおいて、
前記上基板上には、３８０ナノメートル（ｎｍ）より短波長の光を反射、または吸収する紫外線カット層を有し、
下基板の下側に紫外線カット印刷層と半透過反射板とを設け、さらにその下に光源を配置することを特徴とする液晶表示パネル。
【請求項５】
請求項１ないし請求項４のいずれかに記載の液晶表示パネルにおいて、
前記上基板と下基板と紫外線カット層は、それぞれ同心の開口部を有し、開口部の周囲の上下基板間をシール材で封止してあることを特徴とする液晶表示パネル。
【請求項６】
請求項５に記載の液晶表示パネルにおいて、
上基板と下基板の開口部の大きさより紫外線カット層の開口部の大きさを小さくしたことを特徴とする液晶表示パネル。
【請求項７】
請求項１ないし請求項６のいずれかに記載の液晶表示パネルにおいて、
最上層から最下層までの全構成要素の側面を、液晶表示パネルの輪郭全体に亘って一体の紫外線カット樹脂で覆ってあることを特徴とする液晶表示パネル。
【請求項８】
上基板上に設ける第１の電極と、下基板上に設ける第２の電極を有し、前記上基板を観察者側に配置し、上基板と下基板との間に液晶と透明固形物との混合液晶層をシール材により封入する液晶表示パネルにおいて、
前記上基板より観察者の側に、３８０ナノメートル（ｎｍ）より短波長の光を反射、または吸収する紫外線カット層を下側の部材に対し一定の間隙を設けて配置することを特徴とする液晶表示パネル。
【請求項９】
請求項８に記載の液晶表示パネルにおいて、
前記紫外線カット層とその下側の部材の互いに向き合う面にそれぞれ電極を設け、
前記間隙に液晶を充填し、液晶層の外周をシール材で封止して入力装置を構成してあることを特徴とする液晶表示パネル。
【請求項１０】
前記請求項１から９のいずれかに記載する液晶表示パネルを時計に適用したことを特徴とする液晶表示パネル。
【手続補正２】
【補正対象書類名】明細書
【補正対象項目名】０００１
【補正方法】変更
【補正の内容】
【０００１】
【発明の属する技術分野】
本発明は上基板上には第１の電極を有し、下基板上には第２の電極を有し、第１の電極と第２の電極との間に液晶層を封入する液晶表示パネルであって、液晶層として液晶と透明固形物との混合液晶層を利用し、第２の電極と第１の電極との間に電圧を印加して液晶層の光学変化を利用して表示を行う液晶表示パネルにおいて、使用環境における紫外線が混合液晶層へ照射され、特性変化が発生することを防止するための構造に関するものである。
【手続補正３】
【補正対象書類名】明細書
【補正対象項目名】００３２
【補正方法】変更
【補正の内容】
【００３２】
また、下基板の下側に光源を有する場合には、光源からの混合液晶層への紫外線の照射を防止する必要がある。すなわち、以上に説明する紫外線カット層を下基板上に設けることにより、光源からの紫外線の照射を防止することができる。ただし、光源は、紫外線の波長、または強度を設計可能なため、観察者側の紫外線カット層よりは要求は厳しくない。
【手続補正４】
【補正対象書類名】明細書
【補正対象項目名】００３７
【補正方法】変更
【補正の内容】
【００３７】
上基板１と下基板６は、所定の間隙を設けてシール材１１により貼りあわせ、液晶と透明固形物との混合液晶層１０を封入している。前記第１のシール材１１には、導電性ビーズ（図示せず）を含有し、第２の電極７は、導電性ビーズ（図示せず）を介して上基板１上の接続電極１２に電気的に配置転換される。
【手続補正５】
【補正対象書類名】明細書
【補正対象項目名】００４１
【補正方法】変更
【補正の内容】
【００４１】
上基板１上に粘着層１５を介してフィルム１６を貼り付け、第１の基板１側からの紫外
線の入射を防止する。また、下基板６の下側にはコバルト（Ｃｏ）上に金をメッキした反射板２０を配置する。下基板６側からの紫外線は、反射板２０により遮蔽することができる。液晶表示パネルは、上基板１側を観察者の方向に配置して使用する。
【手続補正６】
【補正対象書類名】明細書
【補正対象項目名】００４３
【補正方法】変更
【補正の内容】
【００４３】
さらに、下基板６側に回り込んだ紫外線は、反射板２０により完全に遮蔽することが可能となる。そのため、混合液晶層１０の透明固形物の着色、劣化を防止するとともに、液晶の劣化も防止することが可能となり、表示性能を劣化することなく、液晶表示パネルの信頼性を向上することが可能となる。
【手続補正７】
【補正対象書類名】明細書
【補正対象項目名】００４７
【補正方法】変更
【補正の内容】
【００４７】
上基板１と下基板６は、所定の間隙を設けてシール材１１により貼りあわせ、液晶と透明固形物との混合液晶層１０を封入している。前記シール材１１には、導電性ビーズ（図示せず）を含有し、第２の電極７は、導電性ビーズ（図示せず）を介して上基板１上の接続電極１２に電気的に配置転換される。
【手続補正８】
【補正対象書類名】明細書
【補正対象項目名】００５０
【補正方法】変更
【補正の内容】
【００５０】
さらに本第２の実施形態においては、上基板１の上面に設ける紫外線カット層１７は、アクリル系材料と紫外線吸収材からなる粘着層１５と、ポリエチルテレフタレート（ＰＥＴ）材ならなるフィルム１６と、酸化シリコン（ＳｉＯ）からなるハードコート層１８からなる。粘着層１５の厚さは、２０から３０マイクロメートル（μｍ）を利用し、フィルム１６の厚さは、粘着層１６によるわずかな凹凸によるフィルム１６の歪みを防止するために、１２５マイクロメートル（μｍ）のものを利用する。さらに、ハードコート層１８は、数十ナノメートル（ｎｍ）である。フィルム１６には紫外線カット性は設けていない。また、紫外線カット層１７は、第１の基板１と同等の大きさを有している。
【手続補正９】
【補正対象書類名】明細書
【補正対象項目名】００５６
【補正方法】変更
【補正の内容】
【００５６】
まず、液晶表示パネルの構成は、透明基板である上基板１上に透明導電膜として酸化インジウムスズ（ＩＴＯ）膜からなる第１の電極２を有する。上基板１と所定の間隙を設けて対向する透明基板である下基板６上には、銀（Ａｇ）膜からなる内在反射板２０ｂとポリイミド樹脂からなる絶縁膜８と透明導電膜として酸化インジウムスズ（ＩＴＯ）膜からなる第２の電極７を設ける。内在反射板２０ｂと絶縁膜８とは、下基板６の外形と同等としている。
【手続補正１０】
【補正対象書類名】明細書
【補正対象項目名】００５７
【補正方法】変更
【補正の内容】
【００５７】
上基板１と下基板６は、所定の間隙を設けてシール材１１により貼りあわせ、液晶と透明固形物との混合液晶層１０を封入している。
【手続補正１１】
【補正対象書類名】明細書
【補正対象項目名】００６２
【補正方法】変更
【補正の内容】
【００６２】
さらに、下基板６の混合液晶層１０と接する面上に内在反射板２０ｂを設けることにより、下基板の側壁からの紫外線の進入を防止することができる。さらに、シール材１１に紫外線吸収材を練り込んだ材料を使用することにより、混合液晶層１０への紫外線の照射を効率よく防止することができる。
【手続補正１２】
【補正対象書類名】明細書
【補正対象項目名】００６５
【補正方法】変更
【補正の内容】
【００６５】
上基板１と下基板６は、所定の間隙を設けてシール材１１により貼りあわせ、液晶と透明固形物との混合液晶層１０を封入している。前記シール材１１には、導電性ビーズ（図示せず）を含有し、第２の電極７は、導電性ビーズ（図示せず）を介して上基板１上の接続電極１２に電気的に配置転換される。
【手続補正１３】
【補正対象書類名】明細書
【補正対象項目名】００６８
【補正方法】変更
【補正の内容】
【００６８】
さらに、本第４の実施形態においては、上基板１の上面に設ける紫外線カット層１７は、アクリル系材料と紫外線吸収材からなる粘着層１５と、ポリエチルテレフタレート（ＰＥＴ）材ならなるフィルム１６からなる。粘着層１５の厚さは、２０から３０マイクロメートル（μｍ）を利用し、フィルム１６の厚さは、粘着層１５によるわずかな凹凸によるフィルム１６の歪みを防止するために、１２５マイクロメートル（μｍ）のものを利用する。フィルム１６には紫外線カット性は設けていない。また紫外線カット層１７は、第１の基板１の外形より小さく、シール材１１より大きくしてある。
【手続補正１４】
【補正対象書類名】明細書
【補正対象項目名】００７２
【補正方法】変更
【補正の内容】
【００７２】
＜第５の実施形態＞
以下に本発明の第５の実施形態における液晶表示パネルの構造を図面を参照しながら説明する。本第５の実施形態の特徴は、指針軸を備えた機器に液晶表示パネルを重ねて配置する場合に指針軸を通すための開口部を、上基板と下基板と紫外線カット層とに有し、こ
れら開口部の大小関係により混合液晶層への紫外線の照射を防止する点である。図５は、本発明の第５の実施形態における液晶表示パネルの構造を示す断面図である。以下に、図５を用いて第５の実施形態を説明する。
【手続補正１５】
【補正対象書類名】明細書
【補正対象項目名】００７３
【補正方法】変更
【補正の内容】
【００７３】
まず、液晶表示パネルの構成は、透明基板である上基板１上に透明導電膜として酸化インジウムスズ（ＩＴＯ）膜からなる第１の電極２を有する。上基板１と所定の間隙を設けて対向する透明基板である下基板６上には、透明導電膜として酸化インジウムスズ（ＩＴＯ）膜からなる第２の電極７を設ける。上基板１と下基板６の中央部には、開口部２２を有する。
【手続補正１６】
【補正対象書類名】明細書
【補正対象項目名】００７４
【補正方法】変更
【補正の内容】
【００７４】
上基板１と下基板６は、所定の間隙を設け、下基板６の外周部に設けるシール材１１と開口部２２の周囲に設けるシール材１１ａにより貼りあわせ、液晶と透明固形物との混合液晶層１０を封入している。前記シール材１１には、導電性ビーズ（図示せず）を含有し、第２の電極７は、導電性ビーズ（図示せず）を介して上基板１上の接続電極１２に電気的に配置転換される。
【手続補正１７】
【補正対象書類名】明細書
【補正対象項目名】００７６
【補正方法】変更
【補正の内容】
【００７６】
以上に示すように、上基板１と下基板６とシール材１１、１１ａと封口材（図示せず）と混合液晶層１０とにより液晶表示パネルを構成する。
【手続補正１８】
【補正対象書類名】明細書
【補正対象項目名】００８２
【補正方法】変更
【補正の内容】
【００８２】
上基板１と下基板６は、所定の間隙を設けてシール材１１により貼りあわせ、液晶と透明固形物との混合液晶層１０を封入している。
【手続補正１９】
【補正対象書類名】明細書
【補正対象項目名】００８６
【補正方法】変更
【補正の内容】
【００８６】
さらに下基板６の下側には、透明インキに紫外線カット材を混入する紫外線カット印刷層１９を２０マイクロメートル（μｍ）の厚さで設ける。さらに、紫外線カット印刷層１９の下側には、半透過反射板２０ａを設ける。この半透過反射板２０ａは、ＰＥＴフィル
ム上にアルミニウム（Ａｌ）膜を２０〜３０ナノメートル（ｎｍ）の厚さで設けるものを採用する。半透過反射板２０ａが半透過特性を示すため、半透過反射板２０ａの下側に回り込む紫外線が混合液晶層１０へ照射するため半透過反射板２０ａ上へ紫外線カット印刷層１９を設けることは重要となる。
【手続補正２０】
【補正対象書類名】明細書
【補正対象項目名】００８７
【補正方法】変更
【補正の内容】
【００８７】
さらに、半透過反射板２０aの下側には、光源（図示せず）を設け、液晶表示パネルの使用環境が暗い場合に、光源からの光を利用して表示を行うことが可能となる。
【手続補正２１】
【補正対象書類名】明細書
【補正対象項目名】００９０
【補正方法】変更
【補正の内容】
【００９０】
上基板１と下基板６は、所定の間隙を設けてシール材１１により貼りあわせ、液晶と透明固形物との混合液晶層１０を封入している。
【手続補正２２】
【補正対象書類名】明細書
【補正対象項目名】００９４
【補正方法】変更
【補正の内容】
【００９４】
さらに、下基板６の下側には、金属板からなる反射板２０を有する。さらに、上基板１上の接続電極１２と外部回路との接続を行うためにゼブラゴム２５を接続電極１２に密着し、紫外線カット層１７、上基板１、反射板２０上と各側壁を紫外線カット樹脂２３で覆う構造を採用する。紫外線カット樹脂２３は、酸化チタン（ＴｉＯ）をエポキシ樹脂に混合する物を採用している。
【手続補正２３】
【補正対象書類名】明細書
【補正対象項目名】００９５
【補正方法】変更
【補正の内容】
【００９５】
以上の構造を採用することにより、混合液晶層１０への紫外線の進入は、紫外線カット層１７と紫外線カット樹脂２３と反射板２０により完全に防止することができる。
【手続補正２４】
【補正対象書類名】明細書
【補正対象項目名】００９８
【補正方法】変更
【補正の内容】
【００９８】
上基板１と下基板６は、所定の間隙を設けてシール材１１により貼りあわせ、液晶と透明固形物との混合液晶層１０を封入している。
【手続補正２５】
【補正対象書類名】明細書
【補正対象項目名】０１００
【補正方法】変更
【補正の内容】
【０１００】
以上に示すように、上基板１と下基板６とシール材１１と封口材（図示せず）と混合液晶層１０とにより液晶表示パネルを構成する。前記シール材１１には、導電性ビーズ（図示せず）を含有し、第２の電極７は、導電性ビーズ（図示せず）を介して上基板１上の接続電極１２に電気的に配置転換される。
【手続補正２６】
【補正対象書類名】明細書
【補正対象項目名】０１０１
【補正方法】変更
【補正の内容】
【０１０１】
さらに、本第８の実施形態においては、上基板１の上面に設ける紫外線カット層１７は、先の諸実施形態に見られるのと同様、ここでは図示を省くアクリル系材料と紫外線吸収材からなる粘着層１５とポリエチルテレフタレート（ＰＥＴ）材からなるフィルム１６でなる。また、紫外線カット層１７は、第１の基板１の外形より小さく、シール材１１より外形側まで形成している。また、下基板６上には、半透過反射板２０ａを紫外線カット材を含む接着層２４により接着を行う。
【手続補正２７】
【補正対象書類名】明細書
【補正対象項目名】０１０２
【補正方法】変更
【補正の内容】
【０１０２】
さらに、上基板１と下基板６とシール材１１からなる液晶表示パネル部分は、パネル押え３１に収納し、さらに、上基板１上に設ける接続電極１２と回路基板２７との接続を行うゼブラゴム２５を収納し、パネル押え３１と液晶表示パネルとの間に紫外線カット樹脂２３を封入する。以上の構成とすることにより、混合液晶層は、三次元的に紫外線カット材にて囲まれる構造となる。
【手続補正２８】
【補正対象書類名】明細書
【補正対象項目名】０１０３
【補正方法】変更
【補正の内容】
【０１０３】
また、半透過反射板２０ａの下側には、エレクトロルミネッセンス（ＥＬ）素子からなる光源２６と液晶表示パネルと光源へ所定の電圧を印加するための回路基板２７と電源となる電池２８を回路押さえ３２に収納し、パネル押え３１と組み合わせる。光源２６と回路基板２７とは、光源用接続端子２９により接続している。
【手続補正２９】
【補正対象書類名】明細書
【補正対象項目名】０１０５
【補正方法】変更
【補正の内容】
【０１０５】
以上の構造を採用することにより、半透過反射板２０ａを利用する場合においても、外部光源の紫外線の回り込みを防止し、さらに、光源２６からの紫外線も下基板６の下側に配置する接着層２４により遮断することができ、信頼性に優れる液晶表示パネルを構成できる。
【手続補正３０】
【補正対象書類名】明細書
【補正対象項目名】０１０８
【補正方法】変更
【補正の内容】
【０１０８】
上基板１と下基板６は、所定の間隙を設けてシール材１１により貼りあわせ、液晶と透明固形物との混合液晶層１０を封入している。
【手続補正３１】
【補正対象書類名】明細書
【補正対象項目名】０１１１
【補正方法】変更
【補正の内容】
【０１１１】
さらに、本第９の実施形態においては、上基板１の上面には、上基板１側より紫外線吸収材からなる粘着層１５とＰＥＴフィルム１６とで構成した紫外線カット層１７と、ＰＥＴフィルム１６上に設ける高抵抗透明導電膜からなる第３の電極３８と、これと所定の間隙を設けて対向する高抵抗透明導電膜からなる第４の電極３９と、紫外線吸収材を含むＰＥＴフィルム１６ａと、ＰＥＴフィルム１６ａの傷による紫外線カット性能の低下を防止するためのハードコート層１８を有する。
【手続補正３２】
【補正対象書類名】明細書
【補正対象項目名】０１１２
【補正方法】変更
【補正の内容】
【０１１２】
以上に示すように、ＰＥＴフィルム１６と、第３の電極３８と、第４の電極３９と、ＰＥＴフィルム１６ａと、ハードコート層１８から抵抗膜方式の入力装置を構成する。また、入力装置の透過率を大きくするために、第４の電極３９と屈折率がほぼ同等の液晶層４０を第３の電極３８と第４の電極３９との間に封入し、外周をシール材１１ｂで封止する。本発明の実施形態では、液晶層４０の屈折率は、１．８のものを利用した。
【手続補正３３】
【補正対象書類名】明細書
【補正対象項目名】０１１３
【補正方法】変更
【補正の内容】
【０１１３】
従来の抵抗膜方式の入力装置の構成と異なり、観察者側に配置配置するＰＥＴフィルム１６ａに紫外線カット材を混入するものを利用し、液晶層４０と混合液晶層１０への紫外線の照射を防止している。さらに、入力装置と第１の基板１との粘着層１５に紫外線カット材を有する構造とし、外部光源による混合液晶層１０への紫外線の入射を防止している。以上に示すように、混合液晶層１０に対して二重の紫外線カットを行うことにより、非常に有効的に紫外線をカットできる。
【手続補正３４】
【補正対象書類名】明細書
【補正対象項目名】０１１６
【補正方法】変更
【補正の内容】
【０１１６】
本第９の実施形態においては、液晶表示パネルを構成する第１の基板１を利用し、さら
に、粘着層１５を紫外線カット層として利用する場合を示しているが、紫外線カット材を混入するＰＥＴフィルム１６ａによる紫外線カット性能で充分な環境の場合には、第１の基板１上に設ける粘着層１５とＰＥＴフィルム１６からなる紫外線カット層１７を省き、第１の基板１の上下面に第１の電極２と第３の電極３８を設けることにより、薄型化、視差の低減が可能となる。
【手続補正３５】
【補正対象書類名】明細書
【補正対象項目名】０１２１
【補正方法】変更
【補正の内容】
【０１２１】
上基板１と下基板６は、所定の間隙を設けてシール材１１により貼りあわせ、液晶と透明固形物との混合液晶層１０を封入している。
【手続補正３６】
【補正対象書類名】明細書
【補正対象項目名】０１２３
【補正方法】変更
【補正の内容】
【０１２３】
以上に示すように、上基板１と下基板６とシール材１１と封口材（図示せず）と混合液晶層１０とにより液晶表示パネルを構成する。前記シール材１１には、導電性ビーズ（図示せず）を含有し、第１の電極２は、導電性ビーズ（図示せず）を介して下基板６上の接続電極１２に電気的に配置転換される。
【手続補正３７】
【補正対象書類名】明細書
【補正対象項目名】０１２５
【補正方法】変更
【補正の内容】
【０１２５】
さらに、下基板６の下側には、紫外線カット印刷層１９を設ける。以上により、上下方向からの混合液晶層１０への紫外線の進入ほぼ防止することができる。さらに、液晶表示パネルは、パネル押え３１により第１の基板１上に密着され、さらに、パネル押え３１上には、見切り板１４を設け、非表示部の遮蔽と風防ガラス３６からの不必要な紫外線の入射を防止している。
【手続補正３８】
【補正対象書類名】明細書
【補正対象項目名】０１２６
【補正方法】変更
【補正の内容】
【０１２６】
さらに、半透過反射板２０ａの下側には、エレクトロルミネッセンス（ＥＬ）素子からなる光源２６と、液晶表示パネルと光源に所定の電圧を印加するための回路基板２７を有する。また液晶表示パネルと回路基板２７との接続は、ゼブラゴム２５により行い、光源２６と回路基板２７との接続は、光源用接続端子２９により行う。電源となる電池２８を回路基板２７の下側に配置する。
【手続補正３９】
【補正対象書類名】明細書
【補正対象項目名】０１２７
【補正方法】変更
【補正の内容】
【０１２７】
回路基板２７は回路押え３２により保持され、パネル押え３１と嵌合して液晶表示パネルモジュールとなる。液晶表示パネルモジュールは、時計ケース３５と風防ガラス３６と裏蓋３７の内部に収納される。
【手続補正４０】
【補正対象書類名】明細書
【補正対象項目名】符号の説明
【補正方法】変更
【補正の内容】
【符号の説明】
１  上基板
２  第１の電極
６  下基板
７  第２の電極
８  絶縁膜
１０  混合液晶層
１１  シール材
１１ａ  開口部のシール材
１１ｂ  入力装置用シール材
１２  接続電極
１３  接着層
１４  見切り板
１５  粘着層
１６、１６ａ  ポリエチルテレフタレートフィルム
１７  紫外線カット層
１８  ハードコート層
１９  紫外線カット印刷層
２０  反射板
２０ａ  半透過反射板
２０ｂ  内在反射板
２１、２２  開口部
２３  紫外線カット樹脂
２４  接着層
２５  ゼブラゴム
２６  光源
２７  回路基板
２８  電池
２９  光源用接続端子
３１  パネル押え
３２  回路押え
３３  接合部
３５  時計ケース
３６  風防ガラス
３７  裏蓋
３８  第３の電極
３９  第４の電極
４０  液晶層
【手続補正４１】
【補正対象書類名】明細書
【補正対象項目名】図５
【補正方法】変更
【補正の内容】
【図５】
1999337924.tif 000001
【手続補正４２】
【補正対象書類名】明細書
【補正対象項目名】図６
【補正方法】変更
【補正の内容】
【図６】
1999337924.tif 000002
【手続補正４３】
【補正対象書類名】明細書
【補正対象項目名】図７
【補正方法】変更
【補正の内容】
【図７】
1999337924.tif 000003
【手続補正４４】
【補正対象書類名】明細書
【補正対象項目名】図８
【補正方法】変更
【補正の内容】
【図８】
1999337924.tif 000004
【手続補正４５】
【補正対象書類名】明細書
【補正対象項目名】図９
【補正方法】変更
【補正の内容】
【図９】
1999337924.tif 000005
【手続補正４６】
【補正対象書類名】明細書
【補正対象項目名】図１１
【補正方法】変更
【補正の内容】
【図１１】
1999337924.tif 000006